(57)【要約】   【課題】雨水貯留槽のオーバーフロー管からの排水を排水管に導く安価で施工容易な雨水貯留槽のオーバーフロー排水構造を提供することを目的とする。  【解決手段】取水装置３４には取込口３４ａと取水口３４ｂ、３４ｃが形成され、雨水Ｗは取水口３４ｃの取水短管３３に連結する集水管２４で雨水貯留槽２１に導く。雨水が満水レベル３５を超えるとオーバーフロー管２５で排水される。オーバーフロー管２５は雨水貯留槽２１の満水レベル３５の位置に一端部２５ａを装着し、他端部２５ｂを排水管カバー２７に設けた接続部２２に挿入連結される。竪樋３２と排水管２６を連結する排水管カバー２７は円筒状で、内径Ｔ１は竪樋の外径に等しく外径Ｔ２は排水管２６の内径に等しい。排水管カバー２７の高さ方向の略中央部に接続部２２が形成され、この接続部２２（排水短管）は長さＬ１、内径Ｔ４で水平線に対して上方に角度α＝略３０度で取付けられる。【選択図】  図１
2010053521.tif 000002
【特許請求の範囲】
【請求項１】
雨水貯留槽のオーバーフロー排水構造であって、
前記雨水貯留槽は竪樋から雨水を取出し集水する集水管と雨水を排出するオーバーフロー管を備え、このオーバーフロー管を接続する接続部が前記竪樋の下端部に連結する排水管カバーに設けられることを特徴とする雨水貯留槽のオーバーフロー排水構造。
【請求項２】
請求項１に記載の雨水貯留槽のオーバーフロー排水構造であって、前記接続部は前記オーバーフロー管を挿入接続する短管であることを特徴とする雨水貯留槽のオーバーフロー排水構造。
【請求項３】
請求項１に記載の雨水貯留槽のオーバーフロー排水構造であって、前記排水管カバーの上端部に前記竪樋と連結するチーズ状管を設け、このチーズ状管の水平管が前記接続部として用いられることを特徴とする雨水貯留槽のオーバーフロー排水構造。
【発明の詳細な説明】
【技術分野】
【０００１】
本発明は竪樋から雨水を取出し集水する雨水貯留槽のオーバーフロー排水構造に関し、詳しくは、オーバーフロー管からの排水を安価で施工容易に排水管に導くための技術に関する。
【背景技術】
【０００２】
雨水貯留槽のオーバーフロー管の排水構造に関する従来技術として特許文献１に掲載の内容が知られている。図４に示すように、竪樋１から雨水を雨水貯留槽１０に溜めるが、竪樋１の上端は図示しない屋根端の軒樋に通じており各階のベランダ３を通過して最終的に地面に達する。竪樋１の所定の位置にバイパス路２が分岐し、このバイパス路２は竪樋１の側面から突出する管１ａに蛇腹管２ａを嵌合することにより竪樋１に取付けられている。
【０００３】
竪樋１内には、バイパス路２の直下にあって雨水が下方へ流れるのを遮断する雨水遮断部４が設けられている。雨水遮断部４は竪樋１の内径と略同一外経の円盤４ａを備え、円盤４ａはその中心を通る軸にハンドル５で回動自在に軸支される。貯水槽６にはオーバーフロー管７が設けられていて、貯水槽６に貯まった雨水８が所定量以上になると矢印Ｂで示すようにオーバーフローしてベランダ３に排水される。
【０００４】
貯水槽６は円筒形で下方に設ける水栓のハンドル９ａを回して雨水取出口９から雨水を取出し、ベランダ３に置かれた図示しない園芸用ポットの植物に潅水できる。なお、貯水槽６の上部６ｂに開口部１１に蓋１２を設け、開口部１１は雨水８の取出口或いは内部清掃用口として利用することができる。
【特許文献１】特開平１０−２５７７１号公報
【発明の開示】
【発明が解決しようとする課題】
【０００５】
ところが、貯水槽６に貯まった雨水８が所定量以上になると、オーバーフロー管７によって雨水８は矢印Ｂで示すようにベランダ３にオーバーフローする。このため、濡れたベランダ３は湿気が高くなりベランダ３が不愉快な環境になるということがあった。
【０００６】
この問題を解決する手段として、図５に示すように、前記竪樋１の中間部を竪樋１ａ、竪樋１ｂに二分割してチーズ状管１４を挿入し、このチーズ状管１４の水平管１４ｂにオーバーフロー管７を装着する方法が知られている。なお、図５はベランダではなく地面に埋設される排水管１６に排水管カバー１５が装着されこの排水管カバー１５に下方の竪樋１ｂが挿入され状態である。ところが、この構成は竪樋１を二分割するので竪樋１の施工性も悪くコストアップにつながるという問題があった。また、チーズ状管１４を接着固定する必要があるので施工効率が悪いという問題があった。
【０００７】
そこで、本発明はかかる従来技術の問題に鑑みなされたものであって、雨水が地面に溢れることなく雨水貯留槽のオーバーフロー管からの排水を安価で施工容易に排水管に導くための排水構造の技術を提供することを目的とする。
【課題を解決するための手段】
【０００８】
請求項１の発明は、雨水貯留槽のオーバーフロー排水構造であって、前記雨水貯留槽は竪樋から雨水を取出し集水する集水管と雨水を排出するオーバーフロー管を備え、このオーバーフロー管を接続する接続部が前記竪樋の下端部に連結する排水管カバーに設けられることを特徴としている。
【０００９】
請求項２の発明は、請求項１に記載の雨水貯留槽のオーバーフロー排水構造であって、前記接続部は前記オーバーフロー管を挿入接続する短管であることを特徴としている。
【００１０】
請求項３の発明は、請求項１に記載の雨水貯留槽のオーバーフロー排水構造であって、前記排水管カバーの上端部に前記竪樋と連結するチーズ状管を設け、このチーズ状管の水平管が前記接続部として用いられることを特徴としている。
【発明の効果】
【００１１】
請求項１の発明によれば、雨水貯留槽のオーバーフロー排水構造であって、前記雨水貯留槽は竪樋から雨水を取出し集水する集水管と雨水を排出するオーバーフロー管を備え、このオーバーフロー管を接続する接続部が前記竪樋の下端部に連結する排水管カバーに設けられる。このため、接続部として竪樋の中間部にチーズ状管を装着する場合には竪樋を２分割する必要があるのに比べて、一本の竪樋の下端部をそのまま排水管カバーに挿着するだけなので使用部材が削減できる。さらに、排水管カバーと竪樋の間の接着が不要である。このため、オーバーフロー管用の接続部を容易で安価に施工形成できる。
【００１２】
請求項２の発明によれば、前記接続部は排水管カバーに短管を設けるだけの簡単な構造で前記オーバーフロー管を挿入接続することができるので、請求項１の効果と同様の効果が得られる。
【００１３】
請求項３の発明によれば、前記排水管カバーの上端部に前記竪樋と連結するチーズ状管を設け、このチーズ状管の水平管が前記接続部として用いられる。このため、チーズ状管を竪樋の中間部に装着する場合は竪樋を２分割する必要があるのに比べて、一本の竪樋の下端部にチーズ状管を挿着するだけなので請求項１の効果と同様の効果が得られる。
【発明を実施するための最良の形態】
【００１４】
＜本発明の第１の実施形態＞
以下に、本発明の第１の実施形態を図１、図２に基づいて説明する。
【００１５】
＜雨水貯留槽のオーバーフロー排水構造の構成＞
図１、図２に示すように、本発明の雨水貯留槽２１のオーバーフロー排水構造は雨水貯留槽２１からオーバーフローする雨水Ｗを排水管２６に導くためオーバーフロー管２５を用いる。そして、オーバーフロー管２５の他端部２５ｂが竪樋３２の下端部に備える排水管カバー２７の接続部２２に挿入接続される。
【００１６】
より詳しくは、地面Ｇに設置された直方体形状の雨水貯留槽２１は雨水Ｗを集水する集水管２４と雨水Ｗを排出するオーバーフロー管２５を備え、頂面にメンテナンス用に使用される点検口２１ａ、側面下部に雨水取出用の蛇口２１b、底面にドレン排出口２１ｃが設けられる。貯留した雨水は園芸等の散水や掃除など飲用以外の用途に広く利用される。
【００１７】
雨水Ｗは建物の屋根３０から軒樋３１を経て竪樋３２に導かれ、竪樋３２の中間部に設けた取水装置３４に連結されたフレキシブルの集水管２４を介して雨水貯留槽２１の頂面から雨水貯留槽２１に導かれる。より詳しくは、取水装置３４は上方に竪樋３２を挿入する取込口３４ａと下方に二箇所の取水口３４ｂ、３４ｃが形成され、上方の竪樋３２からの雨水を取水口３４ｂによって下方の軒樋３２に流し、取水口３４ｃによって雨水は雨水貯留槽２１に分流される。雨水貯留槽２１への雨水Ｗの分流量は取水口３４ｂと取水口３４ｃの開口比率を調整することによって設定される。集水管２４は取水口３４ｃに備える取水短管３３に被せて連結される。
【００１８】
雨水貯留槽２１内の雨水が満水レベル３５まで満たされた後、満水レベル３５を超える雨水Ｗはオーバーフロー管２５によって自然排水される。オーバーフロー管２５の一端部２５ａは雨水貯留槽２１の側面に形成された短管に装着され、他端部２５ｂを排水管カバー２７に設けた接続部２２（排水短管）に挿入連結される。オーバーフロー管２５は合成樹脂製の蛇腹等のフレキシブル管が用いられる。
【００１９】
竪樋３２と排水管２６を連結する排水管カバー２７の構造は、高さＳ１、内径Ｔ１、外径Ｔ２の円筒状で、内径Ｔ１は竪樋３２の外径に等しく外径Ｔ２は排水管２６の内径に等しい。排水管２６の先端部は地面Ｇから高さＨ１で突出し、この先端部を覆うように直径Ｔ３、高さＨ２で円盤ドーナツ状に形成されたカバー材２７ａが排水管カバー２７に固着されて地面Ｇと接地する。排水管カバー２７の高さ方向の略中央部に接続部２２（排水短管）が形成され、この接続部２２は長さＬ、内径Ｔ４で水平線に対して上方に角度α＝略３０度で取付けられる。
【００２０】
＜雨水貯留槽のオーバーフロー排水構造の作用＞
上記のように、雨水を利用する雨水貯留槽２１のオーバーフロー管２５を接続する接続部２２としての排水短管を竪樋３２の排水管カバー２７に設けるだけなので、上記、接続部２２として竪樋３２の中間部にチーズ状管を装着する場合に比べて、一本の竪樋３２の下端部をそのまま排水管カバー２７に挿着するだけなので使用部材が削減できて、オーバーフロー管２５用の接続部２２を容易で安価に施工形成できる。
＜本発明の第２の実施形態＞
【００２１】
以下に、本発明の第２の実施形態を説明するが、図１、図２と同構成部分については、図面に同符号を付して重複した説明を省略する。
【００２２】
図３に示すように、本発明第２の実施形態の雨水貯留槽のオーバーフロー排水構造は、排水管カバー２７の上端部と竪樋３２を連結するチーズ状管４０を挿入固着し、チーズ状管４０の水平管４１が接続部２２として用いられる。
【００２３】
より詳しくは、チーズ状管４０は水平管４１と垂直管４２でＴ字状に形成され三方に開口部が形成される。垂直管４２の内径Ｔ４は竪樋３２と排水管カバー２７の内径と同じである。垂直管４２は高さＳ２で、上端部４２ａ、下端部４２ｂは内径Ｔ５に拡径され、内径Ｔ５は竪樋３２の外径に等しい。上端部４２ａに竪樋３２、下端部４２ｂに排水管カバー２７が挿入された状態で、竪樋３２と垂直管４２と排水管カバー２７の内面は面一となる。水平管４１の内径Ｔ６はオーバーフロー管２５の外径と同じで形成される。このため、上記、チーズ状管４０を竪樋３２の中間部に装着する場合は竪樋３２を２分割する必要があるのに比べて、一本の竪樋３２の下端部にチーズ状管４０を挿着するだけで水平管４１を接続部２２として使えるので安価に施工容易で接続部が形成できる。
【００２４】
以上、本発明の実施例を図面に基づいて説明したが、具体的な構成はこの実施例に限られるものではなく本発明の要旨を逸脱しない範囲の設計変更等があっても本発明に含まれる。例えば、オーバーフロー管２５は接続部２２に固定してもよく、固定であれば接続部２２は水平状態でも構わない。さらに、オーバーフロー管２５はフレキシブル管でなくてもよい。竪樋３２の形状が角筒形状の場合には排水管カバー２７の竪樋３２と接続する部分は角筒形状となる。
【図面の簡単な説明】
【００２５】
【図１】本発明の第１の実施形態における、雨水貯留槽２１からオーバーフローする雨水Ｗを排水管２６に導くため、オーバーフロー管２５を竪樋２３の下端部に備える排水管カバー２７の接続部２２に接続する状態を示す一部断面視側面図である。
【図２】本発明の第１の実施形態における、図１のＡ−詳細断面図である。
【図３】本発明の第２の実施形態における、排水管カバー２７と竪樋３２の間にチーズ状管４０を設け、このチーズ状管４０の水平管４１が接続部２２として用いられる状態を示す断面図である。
【図４】従来例における、雨水貯留槽１０の状態を示す側面斜視図である。
【図５】従来例における、竪樋１の中間部を竪樋１ａ、竪樋１ｂに二分割してチーズ状管１４を挿入し、このチーズ状管１４の水平管１４ｂにオーバーフロー管７を装着する状態を示す側面断面図である。
【符号の説明】
【００２６】
２１  雨水貯留槽
２２  接続部（排水短管）
２４  集水管
２５  オーバーフロー管
２５ａ  一端部
２５ｂ  他端部
２６  排水管
２７  排水管カバー
３２  竪樋
３３  取水短管
３５  満水レベル
Ｗ  雨水
【図１】
2010053521.tif 000003
【図２】
2010053521.tif 000004
【図３】
2010053521.tif 000005
【図４】
2010053521.tif 000006
【図５】
2010053521.tif 000007